(57)【要約】【課題】利用者の要求に応じたタイミングでその要求に関連する情報を配信するのに好適な情報配信装置及び情報配信システムを提供する。【解決手段】情報配信システム１を、情報配信サーバ１０と、携帯通信端末２０_１〜２０_ｎと、基地局３０_１〜３０_ｍとを含んだ構成とし、情報配信サーバ１０を、携帯通信端末２０が配信情報の配信対象のエリア内に存在するか否かを判定するエリア判定部１０ｃと、エリア内に存在する携帯通信端末２０の、登録されたＷｅｂページへのアクセスを監視するアクセス監視部１０ｅと、アクセスの検出された携帯通信端末２０が配信条件を満足しているか否かを判定する配信条件判定部１０ｇと、配信条件を満足している携帯通信端末２０に、その利用者の属性情報と、存在しているエリアと、アクセスしたＷｅｂページとに関連する配信情報を配信する情報配信部１０ｉとを含んだ構成とした。【選択図】      図１
2009301096.tif 000002
【特許請求の範囲】
【請求項１】
配信対象のエリア内に存在する携帯通信端末に情報を配信する情報配信装置であって、
前記携帯通信端末の位置情報を取得する位置情報取得手段と、
前記位置情報取得手段で取得した位置情報の示す位置が前記配信対象のエリア内に含まれるときに、この携帯通信端末の所定のＷｅｂページのＵＲＬ（Uniform Resource Locator）へのアクセスを監視するアクセス監視手段と、
前記アクセス監視手段で、前記所定のＷｅｂページのＵＲＬへのアクセスを検出したときに、該アクセスの検出された携帯通信端末に、その存在するエリアと前記アクセスしたＵＲＬのＷｅｂページとに関連する配信情報を配信する情報配信手段と、を備えることを特徴とする情報配信装置。
【請求項２】
配信対象のエリア内に存在する携帯通信端末に情報を配信する情報配信装置であって、
前記配信対象のエリアの情報であるエリア情報を記憶するエリア情報記憶手段と、
前記配信対象のエリアと所定のＷｅｂページとに関連した配信情報を記憶する配信情報記憶手段と、
前記所定のＷｅｂページのＵＲＬ（Uniform Resource Locator）の情報を記憶するＵＲＬ情報記憶手段と、
前記携帯通信端末の位置情報を取得する位置情報取得手段と、
前記位置情報取得手段で取得した位置情報の示す位置が、前記エリア情報の示すエリア内に含まれるか否かを判定する位置判定手段と、
前記位置判定手段で前記エリア内に含まれると判定されたときに、該エリア内に含まれると判定された携帯通信端末の前記所定のＷｅｂページのＵＲＬへのアクセスを監視するアクセス監視手段と、
前記アクセス監視手段で前記所定のＷｅｂページのＵＲＬへのアクセスを検出したときに、該アクセスの検出された携帯通信端末に、その存在するエリアと前記アクセスしたＵＲＬのＷｅｂページとに関連する配信情報を配信する情報配信手段と、を備えることを特徴とする情報配信装置。
【請求項３】
前記携帯通信端末の利用者の属性情報を取得する属性情報取得手段を備え、
前記配信情報は、前記配信対象のエリアと前記所定のＷｅｂページのＵＲＬと前記属性情報とに関連した配信情報を含み、
前記情報配信手段は、前記アクセスの検出された携帯通信端末に、その存在するエリアと前記アクセスしたＵＲＬのＷｅｂページと前記取得した属性情報とに対応する配信情報を配信することを特徴とする請求項２に記載の情報配信装置。
【請求項４】
前記携帯通信端末に前記配信情報を配信後に、配信先の携帯通信端末から前記配信情報を受領したことを示す受領情報を取得する受領情報取得手段を備えることを特徴とする請求項２又は請求項３に記載の情報配信装置。
【請求項５】
携帯通信端末と情報配信装置とを備え、前記情報配信装置は、配信対象のエリア内に存在する前記携帯通信端末に情報を配信する情報配信システムであって、
前記携帯通信端末と前記情報配信装置とを通信回線を介して互いにデータ通信可能に接続し、
前記情報配信装置は、
前記配信対象のエリアの情報であるエリア情報を記憶するエリア情報記憶手段と、
前記配信対象のエリアと所定のＷｅｂページとに関連した配信情報を記憶する配信情報記憶手段と、
前記所定のＷｅｂページのＵＲＬ（Uniform Resource Locator）の情報を記憶するＵＲＬ情報記憶手段と、
前記携帯通信端末の位置情報を取得する位置情報取得手段と、
前記位置情報取得手段で取得した位置情報の示す位置が、前記エリア情報の示すエリア内に含まれるか否かを判定する位置判定手段と、
前記位置判定手段で前記エリア内に含まれると判定されたときに、該エリア内に含まれると判定された携帯通信端末の前記所定のＷｅｂページのＵＲＬへのアクセスを監視するアクセス監視手段と、
前記アクセス監視手段で前記所定のＷｅｂページのＵＲＬへのアクセスを検出したときに、該アクセスの検出された携帯通信端末に、その存在するエリアと前記アクセスしたＵＲＬのＷｅｂページとに関連する配信情報を配信する情報配信手段とを備え、
前記携帯通信端末は、
前記所定のＷｅｂページのＵＲＬにアクセスするＷｅｂページアクセス手段と、
前記情報配信装置から受信した前記配信情報を表示する配信情報表示手段とを備えることを特徴とする情報配信システム。
【発明の詳細な説明】
【技術分野】
【０００１】
本発明は、配信対象のエリア内に存在する携帯通信端末に情報を配信するのに好適な情報配信装置及び情報配信システムに関する。
【背景技術】
【０００２】
従来、情報（メール、ＳＭＳ等のテキストデータ、音楽データ、画像データ、動画データなど）の配信において、電話番号やメールアドレス等のユーザに固有の情報を利用するのが一般的である。このような情報配信サービスは、老若男女問わずに利用されている。また、昨今、地図情報をユーザインターフェースとしたサービスが数多く提供されている。例えば、エリアを指定してそのエリア内に存在する携帯通信端末に、緊急地震速報等を同報配信するサービスや、ニュースを配信するサービスなどがある。また、特定エリアに存在する携帯通信端末に対して、各種イベントに基づいた情報を配信する技術として、例えば、特許文献１に記載の特定エリアの携帯移動情報端末へ情報配信を行うサーバシステムがある。
【０００３】
かかるサーバシステムは、携帯移動情報端末の登録ユーザに対して情報配信サービスが提供される特定エリアの情報と、情報提供業者が提供する配信情報及びその配信条件と、各登録ユーザ及びその配信情報の受信条件と、を記憶するデータベースを有し、携帯移動情報端末からの位置情報を受信してそれが特定エリア内にあるか否かを判定し、エリア内と判定すると前記配信条件と受信条件とを両方満たす個別・具体的な情報を当該携帯移動情報端末に配信するものである。
【特許文献１】特開２００２−２１６０２１号公報
【発明の開示】
【発明が解決しようとする課題】
【０００４】
しかしながら、上記特許文献１に記載の従来技術においては、情報配信サービスを利用する携帯通信端末の利用者のリアルタイムの要求には無関係に、予め設定された配信条件及び受信条件が揃えば情報が配信されるため、利用者が欲していないタイミングで、そのときに欲していない情報を一方的に受ける可能性がある。
そこで、本発明は、このような従来の技術の有する未解決の課題に着目してなされたものであって、利用者の要求に応じたタイミングでその要求に関連する情報を配信するのに好適な情報配信装置及び情報配信システムを提供することを目的としている。
【課題を解決するための手段】
【０００５】
〔発明１〕  上記目的を達成するために、発明１の情報配信装置は、配信対象のエリア内に存在する携帯通信端末に情報を配信する情報配信装置であって、前記携帯通信端末の位置情報を取得する位置情報取得手段と、前記位置情報取得手段で取得した位置情報の示す位置が前記配信対象のエリア内に含まれるときに、この携帯通信端末の所定のＷｅｂページのＵＲＬ（Uniform Resource Locator）へのアクセスを監視するアクセス監視手段と、前記アクセス監視手段で、前記所定のＷｅｂページのＵＲＬへのアクセスを検出したときに、該アクセスの検出された携帯通信端末に、その存在するエリアと前記アクセスしたＵＲＬのＷｅｂページとに関連する配信情報を配信する情報配信手段と、を備える。
【０００６】
このような構成であれば、位置情報取得手段おいて、携帯通信端末の位置情報が取得されると、アクセス監視手段において、取得した位置情報が、情報の配信対象のエリア内に含まれると判断されたときに、携帯通信端末の所定のＷｅｂページのＵＲＬへのアクセスの監視が開始される。
そして、アクセス監視手段において、携帯通信端末が所定のＷｅｂページのＵＲＬにアクセスしたことが検出されると、情報配信手段において、アクセスの検出された携帯通信端末に対して、その存在するエリアとアクセスしたＵＲＬのＷｅｂページとに関連する配信情報が配信される。
【０００７】
従って、携帯通信端末の位置に加え、携帯通信端末が所定のＷｅｂページのＵＲＬにアクセスしたことを検出し、更に、携帯通信端末の存在するエリアとアクセスしたＵＲＬのＷｅｂページとに関連する配信情報を配信するようにしたので、携帯通信端末の利用者がその時にその場所で欲していると推測される情報を略リアルタイムに送信することができるという効果が得られる。
【０００８】
ここで、配信情報は、配信対象として設定されたエリアと、所定のＷｅｂページとに関連する情報であり、例えば、所定のＷｅｂページが旅行関係の情報を提供するＷｅｂページであった場合に、携帯通信端末の存在するエリアの観光スポットの情報などが配信情報となる。また、例えば、所定のＷｅｂページが電化製品、薬、食べ物、スポーツ用品などの所定の商品の情報を提供するＷｅｂページであった場合に、携帯通信端末の存在するエリアにおける所定の商品の特売などをしている店の情報などが配信情報となる。他にも、乗り換え案内などの電車の情報を提供するＷｅｂページ、釣りの情報を提供するＷｅｂページ、スポーツの情報を提供するＷｅｂページ、音楽の情報を提供するＷｅｂページなど様々なＷｅｂページと、携帯通信端末の存在するエリアとに関連する情報が配信情報に含まれる。以下、発明２の情報配信装置、発明５の情報配信システムにおいて同じである。
【０００９】
また、位置情報取得手段は、携帯通信端末が、例えば、携帯電話やＰＨＳである場合に、ＨＬＲ（home location register）、ＭＳＣ（移動通信交換局：Mobile Services Switching Center）、ＳＧＳＮ（Serving GPRS(General Packet Radio Service) Support Node）などの位置管理機器の保持している位置情報を取得したり、携帯通信端末がＧＰＳ（Global Positioning System）の機能を備えている場合は、そのＧＰＳ機能を利用して位置情報を取得したりする。以下、発明２の情報配信装置、発明５の情報配信システムにおいて同じである。
また、アクセス監視手段は、携帯通信端末が、例えば、携帯電話やＰＨＳである場合に、基地局のゲートウェイから監視対象の携帯通信端末のアクセス情報を取得することで監視を行う。
【００１０】
〔発明２〕  一方、上記目的を達成するために、発明２の情報配信装置は、配信対象のエリア内に存在する携帯通信端末に情報を配信する情報配信装置であって、前記配信対象のエリアの情報であるエリア情報を記憶するエリア情報記憶手段と、前記配信対象のエリアと所定のＷｅｂページとに関連した配信情報を記憶する配信情報記憶手段と、前記所定のＷｅｂページのＵＲＬ（Uniform Resource Locator）の情報を記憶するＵＲＬ情報記憶手段と、前記携帯通信端末の位置情報を取得する位置情報取得手段と、前記位置情報取得手段で取得した位置情報の示す位置が、前記エリア情報の示すエリア内に含まれるか否かを判定する位置判定手段と、前記位置判定手段で前記エリア内に含まれると判定されたときに、該エリア内に含まれると判定された携帯通信端末の前記所定のＷｅｂページのＵＲＬへのアクセスを監視するアクセス監視手段と、前記アクセス監視手段で前記所定のＷｅｂページのＵＲＬへのアクセスを検出したときに、該アクセスの検出された携帯通信端末に、その存在するエリアと前記アクセスしたＵＲＬのＷｅｂページとに関連する配信情報を配信する情報配信手段と、を備える。
【００１１】
このような構成であれば、位置情報取得手段おいて、携帯通信端末の位置情報が取得されると、位置判定手段によって、取得した位置がエリア情報記憶手段に記憶されたエリア情報の示すエリア内に含まれるか否かが判定される。
そして、エリア内に含まれていると判定されると、アクセス監視手段において、携帯通信端末の、ＵＲＬ情報記憶手段に記憶されたＵＲＬ情報の示すＵＲＬへのアクセスの監視が開始される。
【００１２】
アクセス監視手段において、携帯通信端末が所定のＷｅｂページのＵＲＬにアクセスしたことが検出されると、情報配信手段において、アクセスの検出された携帯通信端末に対して、配信情報記憶手段に記憶された配信情報のうち、携帯通信端末の存在するエリアとアクセスしたＵＲＬのＷｅｂページとに関連する配信情報が配信される。
従って、携帯通信端末の位置に加え、携帯通信端末が所定のＷｅｂページのＵＲＬにアクセスしたことを検出し、更に、携帯通信端末の存在するエリアとアクセスしたＵＲＬのＷｅｂページとに関連する配信情報を配信するようにしたので、携帯通信端末の利用者がその時にその場所で欲していると推測される情報を略リアルタイムに送信することができるという効果が得られる。
【００１３】
〔発明３〕  更に、発明３の情報配信装置は、発明２に記載の情報配信装置において、前記携帯通信端末の利用者の属性情報を取得する属性情報取得手段を備え、前記配信情報は、前記配信対象のエリアと前記所定のＷｅｂページのＵＲＬと前記属性情報とに関連した情報を含み、前記情報配信手段は、前記アクセスの検出された携帯通信端末に、その存在するエリアと前記アクセスしたＵＲＬと前記取得した属性情報とに対応する配信情報を配信する。
【００１４】
このような構成であれば、属性情報取得手段によって、携帯通信端末の利用者の属性情報を取得することができ、情報配信手段は、アクセスの検出された携帯通信端末に、その存在するエリアと前記アクセスしたＵＲＬと前記取得した属性情報とに対応する配信情報を配信することができる。
これによって、携帯通信端末の利用者がその時点その場所で欲している情報をより正確に推定することができ、利用者の要求に対してより適切な情報を配信することができるという効果が得られる。
【００１５】
ここで、属性情報取得手段は、例えば、情報配信サービスに登録した利用者の属性情報を予め記憶した属性情報データベースから、携帯通信端末の利用者の属性情報を取得する。
また、属性情報は、例えば、利用者の年齢、性別、平均利用料金、旅行履歴、買い物履歴などが含まれる。
【００１６】
〔発明４〕  更に、発明４の情報配信装置は、発明２又は３に記載の情報配信装置において、前記携帯通信端末に前記配信情報を配信後に、配信先の携帯通信端末から前記配信情報を受領したことを示す受領情報を取得する受領情報取得手段を備える。
このような構成であれば、受領情報取得手段によって、情報の配信先の携帯通信端末から情報を受領したことを示す受領情報を取得することができるので、同じ情報を何度も配信するといったことを避けることができるという効果が得られる。
【００１７】
〔発明５〕  また、上記目的を達成するために、発明５の情報配信システムは、携帯通信端末と情報配信装置とを備え、前記情報配信装置は、配信対象のエリア内に存在する前記携帯通信端末に情報を配信する情報配信システムであって、前記携帯通信端末と前記情報配信装置とを通信回線を介して互いにデータ通信可能に接続し、前記情報配信装置は、前記配信対象のエリアの情報であるエリア情報を記憶するエリア情報記憶手段と、前記配信対象のエリアと所定のＷｅｂページとに関連した配信情報を記憶する配信情報記憶手段と、前記所定のＷｅｂページのＵＲＬ（Uniform Resource Locator）の情報を記憶するＵＲＬ情報記憶手段と、前記携帯通信端末の位置情報を取得する位置情報取得手段と、前記位置情報取得手段で取得した位置情報の示す位置が、前記エリア情報の示すエリア内に含まれるか否かを判定する位置判定手段と、前記位置判定手段で前記エリア内に含まれると判定されたときに、該エリア内に含まれると判定された携帯通信端末の前記所定のＷｅｂページのＵＲＬへのアクセスを監視するアクセス監視手段と、前記アクセス監視手段で前記所定のＷｅｂページのＵＲＬへのアクセスを検出したときに、該アクセスの検出された携帯通信端末に、その存在するエリアと前記アクセスしたＵＲＬのＷｅｂページとに関連する配信情報を配信する情報配信手段とを備え、前記携帯通信端末は、前記所定のＷｅｂページのＵＲＬにアクセスするＷｅｂページアクセス手段と、前記情報配信装置から受信した配信情報を表示する配信情報表示手段とを備える。
【００１８】
このような構成であれば、情報配信装置においては、位置情報取得手段おいて、携帯通信端末の位置情報が取得されると、位置判定手段によって、取得した位置がエリア情報記憶手段に記憶されたエリア情報の示すエリア内に含まれるか否かが判定される。
そして、エリア内に含まれていると判定されると、アクセス監視手段において、ＵＲＬ情報記憶手段に記憶されたＵＲＬ情報の示すＵＲＬへの携帯通信端末のアクセスの監視が開始される。
【００１９】
一方、携帯通信端末のＷｅｂページアクセス手段において、所定のＷｅｂページのＵＲＬへのアクセスが行われると、情報配信装置のアクセス監視手段において、携帯通信端末が所定のＷｅｂページのＵＲＬにアクセスしたことが検出される。
これにより、情報配信装置の情報配信手段において、アクセスの検出された携帯通信端末に対して、配信情報記憶手段に記憶された配信情報のうち、携帯通信端末の存在するエリアとアクセスしたＵＲＬのＷｅｂページとに関連する配信情報が配信される。
【００２０】
そして、携帯通信端末が情報配信装置から配信された配信情報を受信すると、配信情報表示手段において、受信した配信情報が表示される。
以上より、発明２に記載の情報配信装置と同等の効果が得られる。
ここで、上記通信回線は、公衆電話回線、携帯電話回線、ＬＡＮ、ＷＡＮ、インターネットなどの各種ネットワークを構成する回線を含む。
【発明を実施するための最良の形態】
【００２１】
以下、本発明の実施の形態を図面に基づき説明する。図１〜図１３は、本発明に係る情報配信装置及び情報配信システムの実施の形態を示す図である。
（情報配信システムの構成例）
まず、本発明に係る情報配信システムの構成を図１に基づき説明する。図１は、本発明に係る情報配信システム１の概略構成を示すブロック図である。
情報配信システム１は、登録された利用者の携帯通信端末に対して、情報の配信サービスを提供するシステムであって、図１に示すように、情報配信サーバ１０と、ｎ台の携帯通信端末２０_１〜２０_ｎと、ｍ基の携帯通信端末の基地局３０_１〜３０_ｍと、ネットワーク４０とを含んだ構成となっている。
【００２２】
情報配信サーバ１０と、携帯通信端末２０_１〜２０_ｎ（以下、区別しないときは、単に携帯通信端末２０と称す）とは、基地局３０_１〜３０_ｍ（以下、区別しないときは、単に基地局３０と称す）及びネットワーク４０を介して互いにデータ通信可能に接続されている。
情報配信サーバ１０は、情報配信サービスの登録ユーザの利用している携帯通信端末２０に対して、その携帯通信端末２０の位置情報及びアクセスしたＷｅｂページの情報などに基づき、配信対象のエリア、アクセスしたＵＲＬのＷｅｂページなどに関連する情報を配信する機能を有したサーバ装置である。
【００２３】
携帯通信端末２０_１〜２０_ｎは、本実施の形態においては、携帯電話、ＰＨＳ（Personal Handy-phone System）などを主体に構成されており、情報配信サービスから配信される配信情報の受信機能、測位機能、配信情報の表示機能などを有した携帯型の端末である。また、携帯通信端末２０_１〜２０_ｎは、各利用者に携帯されて移動する。
なお、携帯通信端末２０_１〜２０_ｎは、上記携帯電話と同等の機能を有したＰＤＡ（Personal Data Assistance）、ノートＰＣ（Personal Computer）なども含む。
【００２４】
基地局３０_１〜３０_ｍは、公知の携帯電話、ＰＨＳの基地局であり、それぞれに割り当てられた通信エリア（セル）内に存在する携帯通信端末２０と無線通信を行って、ネットワーク４０を介して送られてきた通信呼（パケットデータ）をエリア内の該当する携帯通信端末２０に無線で送信したり、エリア内の携帯通信端末２０から受信した通信呼をネットワーク４０や他の基地局を介して、他のエリアの携帯通信端末２０や、ネットワーク４０に接続された各種サーバなどの外部機器に送信したりする機能を有している。
ネットワーク４０は、公衆電話回線、携帯電話回線、各種プロバイダの提供する通信回線などを含む様々な通信回線が複合した大規模なネットワークである。
【００２５】
（情報配信サーバ（情報配信装置に対応）の構成例）
次に、図２に基づき、情報配信サーバ１０の詳細な構成を説明する。ここで、図２は、情報配信サーバ１０の詳細な構成を示すブロック図である。
情報配信サーバ１０は、システムに登録された利用者に対して情報の配信処理を行うサーバであって、図２に示すように、データ送受信部１０ａと、位置情報取得部１０ｂと、エリア判定部１０ｃと、エリア情報データベース１０ｄとを含んで構成される。
【００２６】
データ送受信部１０ａは、各構成要素から送信指示のあったデータを、基地局３０及びネットワーク４０を介して携帯通信端末２０などの外部機器に送信する機能を有している。更に、携帯通信端末２０などの外部機器から基地局３０及びネットワーク４０を介して送られてきたデータを受信する機能を有している。
位置情報取得部１０ｂは、情報配信サーバ１０の管理エリア内に存在する携帯通信端末２０に対して、データ送受信部１０ａを介して位置情報の取得要求を送信し、該取得要求に応じて携帯通信端末２０から送信された位置情報をデータ送受信部１０ａを介して取得する機能を有している。
【００２７】
エリア判定部１０ｃは、位置情報取得部１０ｂで取得した位置情報と、エリア情報データベース１０ｄに記憶されたエリア情報の示すエリアとを比較し、取得した位置情報に対応する携帯通信端末２０が配信情報の配信対象のエリア内に在圏しているか否かを判定する機能を有している。そして、在圏していると判定したときに、その判定結果を後述するアクセス監視部１０ｅに出力する。
【００２８】
エリア情報データベース１０ｄは、配信情報の配信対象となるエリアを示す情報であるエリア情報が記憶されたデータベースである。エリア情報は、具体的に、配信対象となる、基地局３０の管理するエリアのセルＩＤや、ＧＰＳを用いた測位システムで用いられるノードＩＤなどを含む情報となる。
情報配信サーバ１０は、更に、アクセス監視部１０ｅと、Ｗｅｂページ情報データベース１０ｆと、配信条件判定部１０ｇと、配信条件データベース１０ｈとを含んで構成される。
【００２９】
アクセス監視部１０ｅは、位置情報取得部１０ｂで位置情報の取得された携帯通信端末２０の所定のＷｅｂページのＵＲＬへのアクセスを監視する機能を有している。
具体的に、まず、基地局３０の有するゲートウェイから対象の携帯通信端末２０のアクセス情報（アクセス先のＵＲＬの情報などを含む）を取得する。次に、上記取得した位置情報と、該取得したアクセス情報と、Ｗｅｂページ情報データベース１０ｆに記憶されたＷｅｂページ情報とに基づき、Ｗｅｂページ情報の示すＵＲＬに、位置情報とアクセス情報の示すＵＲＬとに対応したＵＲＬがあるか否かを判定する。これにより、対応するものがあると判定されたときに、携帯通信端末２０の所定のＷｅｂページへのアクセスを検出したとして、この検出結果を配信条件判定部１０ｇに出力する。
【００３０】
Ｗｅｂページ情報データベース１０ｆは、設定番号と、エリア情報と、所定のＷｅｂページのＵＲＬの情報を含むＵＲＬ情報と、対応する携帯通信端末２０の情報とが対応づけられて構成されるＷｅｂページ情報の記憶されたデータベースである。そして、Ｗｅｂページ情報を構成するいずれかの構成要素を検索キーワードとして対応するＷｅｂページ情報を索出することができる。
【００３１】
配信条件判定部１０ｇは、アクセス監視部１０ｅにおいて、各ＵＲＬ情報に対して設定された、配信時間帯、配信期限、配信対象などの配信条件情報と、携帯通信端末２０の現在の状況を示す情報（年月日、時刻など）、端末ＩＤなどとを比較し、配信対象である携帯通信端末２０が、配信条件を満たすか否かを判定する機能を有している。配信条件を満たすと判定された場合は、その判定結果が情報配信部１０ｉに出力される。
【００３２】
配信条件データベース１０ｈは、ＵＲＬ情報と、配信時間帯と、配信期限と、配信対象の携帯通信端末２０の端末ＩＤとが対応づけられて構成される配信条件情報の記憶されたデータベースである。そして、配信条件情報を構成するいずれかの構成要素を検索キーワードとして対応する配信条件情報を索出することができる。
情報配信サーバ１０は、更に、情報配信部１０ｉと、配信情報データベース１０ｊと、属性情報データベース１０ｋとを含んで構成される。
【００３３】
情報配信部１０ｉは、配信条件を満足する携帯通信端末２０の利用者の属性情報を属性情報データベース１０ｋから取得し、取得した属性情報と、携帯通信端末２０のアクセスしたＷｅｂページの情報と、携帯通信端末２０の位置情報とに対応した配信情報を、配信情報データベース１０ｊから取得する。そして、該取得した配信情報を、データ送受信部１０ａを介して配信対象の携帯通信端末２０に配信する機能を有している。
配信情報データベース１０ｊは、ＵＲＬ情報とエリア情報と属性情報と配信する情報とが対応付けられて構成される配信情報が記憶されたデータベースである。そして、配信情報を構成するいずれかの構成要素を検索キーワードとして対応する配信情報を索出することができる。
【００３４】
属性情報データベース１０ｋは、携帯通信端末２０の端末ＩＤと、属性番号と、年齢、性別などの属性項目とその内容とが対応付けられて構成される属性情報の記憶されたデータベースである。そして、端末ＩＤを検索キーワードとして対応する属性情報を索出することができる。なお、端末ＩＤは、ＭＳＩＳＤＮ (Mobile Subscriber ISDN Number：電話番号)、ＩＭＥＩ（International Mobile Equipment Identity：端末番号）、ＩＭＳＩ（International Mobile Subscriber Identity：加入者識別子）などの識別情報うち少なくとも１つを含む。
【００３５】
（携帯通信端末の構成例）
次に、図３に基づき、携帯通信端末２０の詳細な構成を説明する。
ここで、図３は、携帯通信端末２０の詳細な構成を示すブロック図である。
携帯通信端末２０は、図３に示すように、データ送受信部２０ａと、Ｗｅｂアクセス部２０ｂと、測位処理部２０ｃと、情報表示部２０ｄと、受領応答送信部２０ｅとを含んで構成される。
【００３６】
データ送受信部２０ａは、各構成部から送信指示のあったデータを、基地局３０及びネットワーク４０を介して、他の携帯通信端末２０、情報配信サーバ１０などの目的の送信先の装置に向けて送信する機能を有している。更に、他の携帯通信端末２０、情報配信サーバ１０などからネットワーク４０及び基地局３０を介して送られてきたデータを受信する機能を有している。
【００３７】
Ｗｅｂアクセス部２０ｂは、Ｗｅｂブラウザの機能を有しており、ネットワーク４０上の情報配信サーバ１０などの各種Ｗｅｂサーバの提供するＷｅｂページのＵＲＬへとアクセスしてＷｅｂサーバから提供される各種情報（提供ページの他にアプリケーションなども含む）に応じた処理を実行する機能を有している。具体的に、利用者が指定したＵＲＬへの、データ送受信部２０ａを介したアクセスや、Ｗｅｂサーバから提供される様々なアプリケーションの実行や、様々なアクセスページの表示を行なう機能を有している。更に、表示ページにおいて利用者が操作部を介して入力した各種情報をデータ送受信部２０ａを介して対応するＷｅｂサーバに送信する機能なども有している。
【００３８】
本実施の形態では、携帯通信端末２０の利用者が、Ｗｅｂアクセス部２０ｂの機能を用いて、情報配信サーバ１０が提供する配信情報の配信依頼を行うことができるＷｅｂページに接続し、該Ｗｅｂページにおいて、配信対象のエリア、配信対象の携帯通信端末、アクセスを監視するＷｅｂページ、配信時間帯、配信期限などの配信条件、配信情報を登録することができる。そして、情報配信サーバ１０は、登録された情報に基づき、条件に合致する携帯通信端末２０に対して情報を配信するようになっている。
測位処理部２０ｃは、当該携帯通信端末２０の現在位置を測位する機能を有している。
本実施の形態では、更に、情報配信サーバ１０からの位置情報の取得要求に応じて、現在地を測位し、その位置情報を、データ送受信部２０ａを介して、情報配信サーバ１０に送信する機能を有している。
【００３９】
ここで、測位方法としては、測位処理部２０ｃがＧＰＳ（Global Positioning System）の機能を有していれば、ＧＰＳ機能によって、ＧＰＳ衛星からの信号に基づき位置情報（緯度、経度）を得る。本実施の形態では、更に、ＧＰＳで得た位置情報（緯度、経度）を道路のリンク（線）とノード（点）のＩＤに変換する（以下、単にノードＩＤと称す）。また、測位処理部２０ｃがＧＰＳの機能を有していない場合は、位置情報として、当該携帯通信端末２０の在圏するエリアを担当する基地局３０からセルＩＤを取得する。または、当該携帯通信端末２０の通信範囲内に存在する複数の基地局３０からのセルＩＤの情報と電波強度とに基づき測位を行う。
【００４０】
情報表示部２０ｄは、データ送受信部２０ａを介して、情報配信サーバ１０から受信した配信情報を、不図示の表示部に表示する機能を有している。
受領応答送信部２０ｅは、データ送受信部２０ａを介して、情報配信サーバ１０から、配信情報を正確に受信したことを確認し、正確に受信した場合に、受信した配信情報に対する受領応答を、データ送受信部２０ａを介して、情報配信サーバ１０に送信する機能を有している。
【００４１】
なお、携帯通信端末２０は、図示しないが、上記各部の処理を制御するためのプログラムの記憶された不揮発性の記憶媒体と、プログラムの実行において使用するデータを一時記憶するためのＲＡＭと、プログラムを実行するためのＣＰＵ（中央処理装置）と、上記各部間のデータの送受信を行うためのバスと、外部装置とのデータの送受信を行うためのアンテナと、Ｉ／Ｆ（インターフェース）回路とを備えている。
【００４２】
また、上記記憶媒体は、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。但し、携帯通信端末が、携帯電話やＰＤＡであれば、その構造上、記憶媒体は主に半導体記憶媒体となる。
【００４３】
（端末位置情報の取得処理の例）
次に、図４に基づき、情報配信サーバ１０における携帯通信端末２０の位置情報を取得する処理である端末位置情報取得処理の流れを説明する。
ここで、図４は、端末位置情報取得処理を示すフローチャートである。
ＣＰＵによってプログラムが実行され、端末位置情報取得処理が開始されると、図４に示すように、まず、ステップＳ１００に移行し、位置情報取得部１０ｂにおいて、データ送受信部１０ａを介して、管理エリア内に在圏する携帯通信端末２０からの位置情報を取得したか否かを判定し、取得したと判定した場合(Yes)は、取得した位置情報をエリア判定部１０ｃに出力してステップＳ１０２に移行し、そうでない場合(No)は、取得するまで判定処理を繰り返す。
【００４４】
本実施の形態において、情報配信サーバ１０は、一定の周期で、管理エリア内に在圏する携帯通信端末２０に対して、位置情報の取得要求を送信する。この取得要求は、情報配信システム１に登録された利用者の携帯通信端末２０に向けた専用の取得要求であり、管理エリア内に在圏する登録利用者の携帯通信端末２０は、この取得要求を受信することで、測位処理を実行し、測位された位置情報を情報配信サーバ１０に送信するようになっている。
ステップＳ１０２に移行した場合は、エリア判定部１０ｃにおいて、エリア情報データベース１０ｄに記憶されたエリア情報に対して、取得した位置情報を検索キーワードとして検索を行ない、ステップＳ１０４に移行する。
【００４５】
ステップＳ１０４では、エリア判定部１０ｃにおいて、ステップＳ１０２の検索結果に基づき、配信対象のエリア内に存在する携帯通信端末２０はあるか否かを判定し、あると判定した場合(Yes)は、ステップＳ１０６に移行し、そうでない場合(No)は、ステップＳ１００に移行する。つまり、エリア情報データベース１０ｄに、キーワードに対応するエリア情報が記憶されている場合（対応するエリア情報が索出された場合）は、配信対象のエリア内に存在する携帯通信端末２０があると判定し、対応するエリア情報がない場合は、ないと判定する。
ステップＳ１０６に移行した場合は、エリア判定部１０ｃにおいて、エリア内に存在する携帯通信端末２０の在圏情報を、アクセス監視部１０ｅに通知して、ステップＳ１００に移行する。
【００４６】
（所定Ｗｅｂサーバへのアクセス監視処理の例）
次に、図５に基づき、情報配信サーバ１０におけるアクセス監視処理の流れを説明する。
ここで、図５は、情報配信サーバ１０におけるアクセス監視処理を示すフローチャートである。
ＣＰＵによってプログラムが実行され、アクセス監視処理が開始されると、図５に示すように、まず、ステップＳ２００に移行し、アクセス監視部１０ｅにおいて、エリア判定部１０ｃからの在圏情報の通知があったか否かを判定し、あったと判定した場合(Yes)は、ステップＳ２０２に移行し、そうでない場合(No)は、在圏通知があるまで判定処理を繰り返す。
【００４７】
ステップＳ２０２に移行した場合は、アクセス監視部１０ｅにおいて、携帯通信端末２０の在圏しているエリアに対応するＷｅｂページ情報を、Ｗｅｂページ情報データベース１０ｆから取得して、ステップＳ２０４に移行する。
ステップＳ２０４では、アクセス監視部１０ｅにおいて、配信対象のエリアに在圏する携帯通信端末２０（以下、監視対象端末２０と称す）に対する、ステップＳ２０２で取得したＷｅｂページ情報に対応するＵＲＬのＷｅｂページ（以下、監視対象ページと称す）へのアクセスの監視を開始して、ステップＳ２０６に移行する。
【００４８】
この監視処理は、具体的に、監視対象端末２０が在圏するエリアの基地局３０の備えるゲートウェイに対して、監視対象端末２０から監視対象ページへのアクセスがあったか否かを監視することで行う。例えば、配信対象のエリアに対応するゲートウェイに対して、監視対象端末２０の情報を通知し、この監視対象端末２０からのＷｅｂページへのアクセスがあったときに、その情報を、ゲートウェイに通知させるようにする。
【００４９】
ステップＳ２０６では、アクセス監視部１０ｅにおいて、ゲートウェイからの情報とステップＳ２０２で取得したＷｅｂページ情報とに基づき、監視対象端末２０による監視対象ページへのアクセスを検出したか否かを判定し、検出したと判定した場合(Yes)は、ステップＳ２０８に移行し、そうでない場合(No)は、ステップＳ２１０に移行する。
ステップＳ２０８に移行した場合は、アクセス監視部１０ｅにおいて、監視対象ページのＵＲＬへのアクセスを検出したことを示すアクセス検出情報を、配信条件判定部１０ｇに通知して、ステップＳ２００に移行する。
【００５０】
一方、ステップＳ２０６においてアクセスが検出されずにステップＳ２１０に移行した場合は、アクセス監視部１０ｅにおいて、エリア判定部１０ｃからの在圏情報の通知が予め決められた周期タイミングで行われたか否かを判定し、行われたと判定した場合(Yes)は、ステップＳ２０４に移行し、そうでない場合(No)は、ステップＳ２１２に移行する。
ステップＳ２１２では、アクセス監視部１０ｅにおいて、在圏情報の通知がなかった監視対象端末２０は、配信対象のエリアから外に出たと判断し、その端末を監視対象から外して、ステップＳ２００に移行する。
【００５１】
（配信情報の配信処理の例）
次に、図６に基づき、情報配信サーバ１０の配信情報の配信処理の流れを説明する。
ここで、図６は、情報配信サーバ１０の配信情報の配信処理を示すフローチャートである。
ＣＰＵによってプログラムが実行され、配信情報の配信処理が開始されると、図６に示すように、まず、ステップＳ３００に移行し、配信条件判定部１０ｇにおいて、アクセス監視部１０ｅからのアクセス情報の通知があったか否かを判定し、あったと判定した場合(Yes)は、ステップＳ３０２に移行し、そうでない場合(No)は、通知があるまで判定処理を繰り返す。
【００５２】
ステップＳ３０２に移行した場合は、配信条件判定部１０ｇにおいて、通知のあったアクセス情報に対応したＵＲＬ情報に対する配信条件を、配信条件データベース１０ｈから取得して、ステップＳ３０４に移行する。
ステップＳ３０４では、配信条件判定部１０ｇにおいて、時計機能部などの不図示の構成部から、ステップＳ３０２で取得した配信条件に対応する各種情報を取得して、ステップＳ３０６に移行する。
【００５３】
ステップＳ３０６では、配信条件判定部１０ｇにおいて、ステップＳ３０４で取得した情報が配信条件を満足しているか否かを判定し、満足していると判定した場合(Yes)は、条件を満足している旨を情報配信部１０ｉに通知してステップＳ３０８に移行し、そうでない場合(No)は、ステップＳ３００に移行する。
ステップＳ３０８に移行した場合は、情報配信部１０ｉにおいて、配信条件を満足している携帯通信端末２０の利用者の属性情報を、属性情報データベース１０ｋから取得して、ステップＳ３１０に移行する。
【００５４】
ステップＳ３１０では、情報配信部１０ｉにおいて、ステップＳ３０８で取得した属性情報に基づき、該属性情報に対応する配信情報を、配信情報データベース１０ｊから取得して、ステップＳ３１２に移行する。
ステップＳ３１２では、情報配信部１０ｉにおいて、ステップＳ３１０で取得した配信情報を、データ送受信部１０ａを介して、対象の携帯通信端末２０に配信して、ステップＳ３１４に移行する。
【００５５】
ステップＳ３１４では、情報配信部１０ｉにおいて、ステップＳ３１２で配信情報を配信した配信先の携帯通信端末２０からの受領応答を受信したか否かを判定し、受信したと判定した場合(Yes)は、ステップＳ３１６に移行し、そうでない場合(No)は、受信するまで判定処理を繰り返す。
ステップＳ３１６に移行した場合は、情報配信部１０ｉにおいて、配信情報の内容と、配信先の携帯通信端末２０の端末ＩＤとに対応付けて、この配信情報をこの携帯通信端末２０に配信済みであることを示す配信済情報を記録して、ステップＳ３００に移行する。
【００５６】
（配信情報の受信処理の例）
次に、図７に基づき、携帯通信端末２０の配信情報の受信処理の流れを説明する。
ここで、図７は、携帯通信端末２０の配信情報の受信処理を示すフローチャートである。
ＣＰＵによってプログラムが実行され、配信情報の受信処理が開始されると、図７に示すように、まず、ステップＳ４００に移行し、測位処理部２０ｃにおいて、データ送受信部２０ａを介して、情報配信サーバ１０からの位置情報の取得要求を受信したか否かを判定し、受信したと判定した場合(Yes)は、ステップＳ４０２に移行し、そうでない場合(No)は、ステップＳ４０６に移行する。
ステップＳ４０２に移行した場合は、測位処理部２０ｃにおいて、位置情報を取得して、ステップＳ４０４に移行する。
ステップＳ４０４では、ステップＳ４０２で取得した位置情報を、データ送受信部２０ａを介して、情報配信サーバ１０に送信して、ステップＳ４００に移行する。
【００５７】
一方、ステップＳ４００で、位置情報の取得要求を受信せずにステップＳ４０６に移行した場合は、データ送受信部２０ａにおいて、情報配信サーバ１０からの配信情報を受信したか否かを判定し、受信したと判定した場合(Yes)は、配信情報を情報表示部２０ｄに出力すると共に、受信した旨を受領応答送信部２０ｅに通知してステップＳ４０８に移行し、そうでない場合(No)は、ステップＳ４００に移行する。
【００５８】
ステップＳ４０８に移行した場合は、受領応答送信部２０ｅにおいて、ステップＳ４０６で受信した配信情報に対する受領応答を、データ送受信部２０ａを介して、情報配信サーバ１０に送信して、ステップＳ４１０に移行する。
ステップＳ４１０では、情報表示部２０ｄにおいて、ステップＳ４０６で受信した配信情報に対する表示／非表示の選択画面を不図示の表示部に表示する処理を実行して、ステップＳ４１２に移行する。
【００５９】
ステップＳ４１２では、情報表示部２０ｄにおいて、配信情報の表示が選択されたか否かを判定し、表示が選択されたと判定した場合(Yes)は、ステップＳ４１４に移行し、そうでない場合(No)は、ステップＳ４１６に移行する。
ステップＳ４１４に移行した場合は、情報表示部２０ｄにおいて、配信情報の種類に応じた表示処理を実行して、ステップＳ４００に移行する。
【００６０】
一方、ステップＳ４１６に移行した場合は、配信情報の非表示が選択されたか否かを判定し、非表示が選択されたと判定した場合(Yes)は、ステップＳ４１８に移行し、そうでない場合(No)は、ステップＳ４１４に移行する。
ステップＳ４１８に移行した場合は、情報表示部２０ｄにおいて、受信した配信情報を不図示の記憶部に記憶して、ステップＳ４００に移行する。
【００６１】
（情報配信システムの動作例）
次に、図８〜図１３に基づき、本実施の形態の実際の動作を説明する。
ここで、図８は、エリア情報に対応する地図上のエリアの一例を示す図であり、図９は、エリア情報の一例を示す図である。また、図１０は、Ｗｅｂページ情報の一例を示す図である。また、図１１は、配信条件情報の一例を示す図であり、図１２は、配信情報の一例を示す図である。また、図１３（ａ）及び（ｂ）は、属性情報の一例を示す図である。
【００６２】
まず、動作を説明する前に、配信情報の登録処理について説明する。
本実施の形態の情報配信システム１によって提供される情報配信サービスにおいては、企業や地方自治体などからの依頼を受けて、提示された、配信情報、エリア情報、Ｗｅｂページ情報、配信条件、属性情報を各データベースに登録して、これら登録した条件に合致した携帯通信端末２０に対して登録した配信情報を配信する第１のサービスがある。
更に、携帯通信端末２０の利用者などの個人が、専用のＷｅｂページを介して、配信情報、エリア情報、Ｗｅｂページ情報、配信条件、属性情報などを登録して、これら登録された条件に合致した携帯通信端末２０に対して登録された配信情報を配信する第２のサービスがある。
【００６３】
上記第１のサービスは、例えば、営利目的の宣伝メッセージなどの配信に用いられ、特定エリアに訪れた利用者（不特定多数の利用者）の携帯通信端末２０の全てを配信対象とすることが多い。この場合に、配信情報は、例えば、観光地における名産店や料理店の案内情報であったり、企業の経営するテーマパークやデパートなどの案内情報であったりする。つまり、客となる携帯通信端末２０の利用者に向けた情報となることが多い（なお、このような営利目的の配信情報に限らず、非営利な配信情報でもよい）。
【００６４】
一方、上記第２のサービスは、例えば、携帯通信端末２０の利用者が、家族、友人、知人などの個人又は少数グループの携帯通信端末２０を配信対象に、特定のエリアにおけるお勧めのスポットを知らせるためなどに用いられる。この場合に、配信情報は、例えば、観光地における登録者の経験に基づく眺めの良い場所の案内情報、以前に行ったおいしいお店の案内情報などとなる。例えば、特定の観光地において、旅行関係のＷｅｂページにアクセスしたときに、そのアクセスした携帯通信端末２０に対して、この端末の利用者の友人などによって登録された、眺めの良い場所の案内情報を配信するシーンなどが考えられる。
【００６５】
次に、専用のＷｅｂページを介した、配信情報の登録時の動作について具体例を挙げて説明する。
携帯通信端末２０の利用者は、操作部を操作して、Ｗｅｂアクセス部２０ｂを介して、情報配信サーバ１０の提供する、登録用のＷｅｂページにアクセスし、そのＷｅｂページを表示部に表示する。そして、Ｗｅｂページの示す案内に従って、エリア情報を登録する場合は、例えば、地図画面を表示して、その地図画面における特定エリアを、例えば、図８に示す丸で囲ったエリア（エリアＡ〜Ｃ）のように、操作部を操作して線で囲うなどして配信対象のエリアを設定することができる。このようにして、線で囲まれたエリアは、情報配信サーバ１０側で解析され、図９に示すように、対応するエリアのセルＩＤ及びノードＩＤに変換され、エリア情報としてエリア情報データベース１０ｄに記憶される。
【００６６】
次に、Ｗｅｂページ情報を登録する場合は、例えば、複数の旅行関係のＷｅｂページを登録する場合は、それらのＵＲＬを１つ１つ入力するだけではなく、サーバ側で予め用意された、関連するＷｅｂページのＵＲＬをまとめたＵＲＬグループを指定することで行うことが可能である。例えば、図１０に示すように、複数の旅行関連のＷｅｂページのＵＲＬがまとめられた旅行関連ＵＲＬグループなど、ＵＲＬグループを指定することで、複数の関連したＷｅｂページをまとめて登録することが可能となっている。他にも、家電製品関連ＵＲＬグループ、電車案内関連ＵＲＬグループなどの同じ関連でいくつものＷｅｂページが存在するものはグループ化されて用意されており、簡易に登録することができるようになっている。これらＷｅｂページ情報は、ユニークな設定番号、エリア情報、及び端末ＩＤに対応付けられてＷｅｂページ情報データベース１０ｆに記憶される。なお、図１０に示すように、端末ＩＤは、配信先の携帯通信端末２０が複数ある場合に、複数の端末ＩＤをまとめたグループとして登録される。
【００６７】
次に、配信条件情報を登録する場合は、例えば、配信時間帯、配信期限、配信対象の端末の情報などを、時間帯、年月日時刻、端末ＩＤなどを入力したり、数字や選択項目を選択したりして登録する。これら配信条件情報は、図１１に示すように、ＵＲＬ情報及び端末ＩＤに対応付けられて、配信条件データベース１０ｈに記憶される。
次に、配信情報を登録する場合は、例えば、配信情報の登録画面において、配信するメッセージを入力したり、画像がある場合は、そのメッセージに画像を添付したりする。また、配信情報が画像だけの場合は、その画像だけをアップロードするようにしてもよい。これら配信情報は、各配信情報を識別するユニークな番号、属性情報、エリア情報及びＵＲＬ情報に対応付けられて、配信情報データベース１０ｊに記憶される。
【００６８】
なお、属性情報は、情報配信システム１によって実現される情報配信サービスを受けるための利用者情報の登録時において事前に登録される。属性情報は、図１３（ａ）に示すように、ユニークな番号である属性番号、年齢、性別などの登録利用者の各属性情報と対応付けて、属性情報データベース１０ｋに記憶される。また、図１３（ｂ）に示すように、端末ＩＤと属性番号とを対応付けた対応テーブルも属性情報データベース１０ｋに記憶される。
【００６９】
また、企業や地方自治体などによる登録方法も、例えば、上記携帯通信端末２０の利用者と同様に専用のＷｅｂページにおいて行うことができるようにしてもよい。
以下、上記のようにして構成された各データベースを用いて、本実施の形態の情報配信システム１の実際の動作を説明する。
情報配信サービスが開始されると、まず、情報配信サーバ１０は、自己の管理エリアを担当する複数の基地局３０を介して、該複数の基地局３０の担当するエリア内に存在する携帯通信端末２０に対して、それらの位置情報の取得要求を、一定周期で送信する処理を開始する。
【００７０】
一方、携帯通信端末２０は、情報配信サーバ１０からの位置情報の取得要求を受信すると（ステップＳ４００の「Ｙｅｓ」の分岐）、測位処理部２０ｃにおいて、自己の位置を測定して（ステップＳ４０２）、該測定した位置情報を、データ送受信部２０ａを介して、情報配信サーバ１０に送信する（ステップＳ４０４）。
具体的に、携帯通信端末２０がＧＰＳ機能を有している場合は、ＧＰＳ衛星からの信号を受信して、現在位置に対応する緯度・経度を算出する。本実施の形態では、更に、該算出した緯度・経度をノードＩＤに変換して、該ノードＩＤを位置情報として情報配信サーバ１０に送信する。また、携帯通信端末２０がＧＰＳ機能を有していない場合は、基地局３０からセルＩＤを取得し、該取得したセルＩＤを位置情報として情報配信サーバ１０に送信する。なお、位置情報の送信処理においては、送信元の携帯通信端末２０を識別するための端末ＩＤも送信する。
【００７１】
情報配信サーバ１０は、携帯通信端末２０からの位置情報を、データ送受信部１０ａを介して受信すると（ステップＳ１００の「Ｙｅｓ」の分岐）、エリア判定部１０ｃにおいて、エリア情報データベース１０ｄからエリア情報（ここでは、位置情報を送信してきた基地局３０の担当エリアに対応するものだけ）を取得する（ステップＳ１０２）。そして、受信した位置情報と、取得したエリア情報とに基づき、位置情報の送信元の携帯通信端末２０が、エリア情報として登録された配信対象のエリア内にあるか否かを判定する（ステップＳ１０４）。例えば、エリア情報として、図８に示すエリアＡ〜Ｃが登録されているとする。この場合に、受信した位置情報が、例えば「セルＩＤ：0001」であり、図８中のエリアＢに対応するエリア情報が、図９中の「セルＩＤ：0001、ノードＩＤ：00005〜00010」に対応しているときは、エリア判定部１０ｃにおいて、位置情報の送信元の携帯通信端末２０はエリア内に存在すると判定される（ステップＳ１０４の「Ｙｅｓ」の分岐）。更に、エリア判定部１０ｃは、この携帯通信端末２０の端末ＩＤを含む在圏情報を、アクセス監視部１０ｅに通知する（ステップＳ１０６）。
【００７２】
アクセス監視部１０ｅは、エリア判定部１０ｃから在圏情報の通知を受けると（ステップＳ２００の「Ｙｅｓ」の分岐）、在圏するエリアに対応するＷｅｂページ情報を、Ｗｅｂページ情報データベース１０ｆから取得する（ステップＳ２０２）。この例の場合は、セルＩＤが「0001」となるので、設定番号001で、配信対象の端末が不特定（どの端末でもよいことを示す）であるのＷｅｂページ情報が取得される。なお、端末ＩＤ及びセルＩＤ「0001」に対応する「旅行関連ＵＲＬグループ」の情報のみを取得するようにしてもよい。
【００７３】
そして、在圏する携帯通信端末２０を、監視対象端末２０として、該監視対象端末２０が、取得したＷｅｂ情報に含まれるＷｅｂページのＵＲＬへのアクセスの監視を開始する（ステップＳ２０４）。具体的に、監視対象端末２０が在圏するエリアを担当する基地局３０の有するゲートウェイから、監視対象端末２０のＷｅｂページへのアクセス内容（ＵＲＬを含む）を示すアクセス情報を受信し、このアクセス情報と、Ｗｅｂページ情報とに基づき監視を行う。つまり、監視対象端末２０がＷｅｂアクセス部２０ｂを介して、Ｗｅｂページにアクセスを行うと、このアクセス先のＵＲＬの情報が基地局３０のゲートウェイに送信されるので、ゲートウェイはこのＵＲＬへのアクセスを中継すると共に、このＵＲＬの情報をアクセス情報として、情報配信サーバ１０に送信する。情報配信サーバ１０は、このアクセス情報の示すＵＲＬと、Ｗｅｂページ情報に含まれるＵＲＬとを比較することで監視を行う。
【００７４】
この監視によって、アクセス情報の示すＵＲＬが、Ｗｅｂページ情報に含まれるＵＲＬと一致したときに、アクセスがあったと検出し（ステップＳ２０６の「Ｙｅｓ」の分岐）、該検出したことを配信条件判定部１０ｇに通知する（ステップＳ２０８）。この通知情報には、アクセスを検出された旨を示す情報、Ｗｅｂページ情報のうち、設定番号と、検出されたＵＲＬ情報と、端末ＩＤとが含まれる。
【００７５】
配信条件判定部１０ｇは、アクセス監視部１０ｅからの検出したことの通知を受けると（ステップＳ３００の「Ｙｅｓ」の分岐）、アクセスの検出されたＵＲＬに対応する配信条件情報を、配信条件データベース１０ｈから取得する（ステップＳ３０２）。
この例の場合は、設定番号が「0001」となり、アクセス先が旅行関連ＵＲＬグループに含まれるＵＲＬの１つとなるので、図１１に示すように、設定番号「0001」、旅行関連ＵＲＬグループに対応する配信条件である、配信時間帯「２４時間」、配信期限「無期限」、端末ＩＤ「不特定」を含む配信条件が取得される。
【００７６】
そして、情報配信サーバ１０は、配信条件を判定するために必要な情報（時刻情報）を、不図示の時計機能部などから取得し（ステップＳ３０４）、該取得した情報と、各配信条件とを比較して、配信条件を満足しているか否かを判定する（ステップＳ３０６）。この例の場合は、配信時間帯「２４時間」、配信期限「無期限」、端末ＩＤ「不特定」となっているので、無条件で配信条件を満足していると判定され、その旨が情報配信部１０ｉに通知される（ステップＳ３０６の「Ｙｅｓ」の分岐）。この通知情報には、配信条件を満足したことを示す情報の他に、在圏するエリアの情報、アクセスしたＵＲＬの情報、端末ＩＤの情報などが含まれている。情報配信部１０ｉは、端末ＩＤの情報に基づき、属性情報データベース１０ｋから端末ＩＤに対応する属性情報を取得する（ステップＳ３０８）。例えば、図１３（ｂ）に示すように、携帯通信端末２０の端末ＩＤが「A0369251」であった場合に、属性番号「03」の属性情報が取得される。
【００７７】
そして、情報配信部１０ｉは、ＵＲＬ情報、エリア情報及び属性情報に基づき、配信情報データベース１０ｊから、ＵＲＬ情報「旅行関連ＵＲＬグループ」、エリア情報「セルＩＤ：0001」、属性情報「属性番号：03」に対応する配信情報を取得する（ステップＳ３１０）。
情報配信部１０ｉは、更に、取得した配信情報を、端末ＩＤに対応する携帯通信端末２０に、データ送受信部２０ａを介して配信する（ステップＳ３１２）。
【００７８】
これにより、配信対象のエリア内に在圏する携帯通信端末２０が、登録されたＷｅｂページのＵＲＬにアクセスしたときに、配信条件が満足していれば、在圏エリアと、Ｗｅｂページと、携帯通信端末２０の利用者の属性情報とに関連した配信情報が、携帯通信端末２０に配信される。属性番号「03」であれば、４０〜５９歳の男性となり、更に、この利用者の携帯通信端末２０は、図８に示すエリアＢ内に在圏し且つ旅行関係のＷｅｂページへとアクセスを行っているので、例えば、近くにある「別府温泉」の案内や割引チケットなどを含む配信情報を配信する。
携帯通信端末２０は、データ送受信部２０ａを介して、情報配信サーバ１０からの配信情報を受信すると（ステップＳ４０６の「Ｙｅｓ」の分岐）、受領応答送信部２０ｅにおいて、受信した配信情報に対する受領応答を生成し、これをデータ送受信部２０ａを介して、情報配信サーバ１０に送信する（ステップＳ４０８）。
【００７９】
携帯通信端末２０は、Ｗｅｂサーバへのアクセス中であるので、更に、情報表示部２０ｄにおいて、受信した配信情報をＷｅｂページへのアクセスを中断して表示するか、中断せずに非表示とするかを選択するポップアップ画面を表示する処理を実行する（ステップＳ４１０）。そして、利用者の操作部の操作によって、「表示」が選択されると（ステップＳ４１２の「Ｙｅｓ」の分岐）、Ｗｅｂページへのアクセスを中断して、受信した配信情報の表示処理を実行する。本実施の形態において、配信情報は、例えば、電子メールや、Ｗｅｂページ情報として配信されてくる。従って、電子メールの場合は、そのメールを利用者が読める形で表示部に表示し、Ｗｅｂページ情報の場合は、そのページをＷｅｂアクセス部２０ｂなどを介して表示部に表示する。例えば、利用者毎に配信情報の表示用のＷｅｂページを用意し、これまでに受信した配信情報をリンク情報として残しておくなどのサービスを提供するようにしてもよい。また、配信依頼者の情報（企業名、友人、知人の名前など）を選択画面に表示するようにしてもよい。
【００８０】
なお、配信情報を表示し終わった後に、利用者からの操作部を介した指示に応じて、中断していたＷｅｂページへのアクセスに戻るようにする。このとき、中断していたＷｅｂページへのアクセスを終了する（やめる）選択を行えるようにしてもよい。
一方、「非表示」が選択された場合（ステップＳ４１２の「Ｎｏ」の分岐）は、受信した配信情報は、利用者の任意のタイミングで表示できるように記憶部に記憶され、Ｗｅｂページへのアクセスは続行される（ステップＳ４１８）。
【００８１】
また、情報配信サーバ１０は、データ送受信部１０ａを介して、携帯通信端末２０からの受領応答を受信すると（ステップＳ３１４の「Ｙｅｓ」の分岐）、この受領応答に対応する配信情報の配信済情報を、配信先の端末ＩＤ及び配信年月日（時刻）などの情報に対応付けて記録する（ステップＳ３１６）。本実施の形態においては、配信済情報に基づき、同じ配信情報を、同じ携帯通信端末２０に何度も配信してしまうのを防ぐ。
以上、本実施の形態の情報配信システム１によれば、情報配信サーバ１０において、管理エリア内に存在する携帯通信端末２０に対して、位置情報の取得要求を送信することができる。
【００８２】
更に、携帯通信端末２０において、情報配信サーバ１０から送信された、位置情報の取得要求を受信したときに、測位処理部２０ｃにおいて、自己の位置情報を取得し、該取得した位置情報を、情報配信サーバ１０に送信することができる。
更に、情報配信サーバ１０のエリア判定部１０ｃにおいて、受信した位置情報が、エリア情報データベース１０ｄに登録されたエリア情報の示す配信対象のエリア内に含まれるか否かを判定することができる。
【００８３】
更に、情報配信サーバ１０のアクセス監視部１０ｅにおいて、配信対象のエリア内に存在する携帯通信端末２０の、Ｗｅｂページ情報データベース１０ｆに登録されたＷｅｂページのＵＲＬへのアクセスを監視することができる。
更に、情報配信サーバ１０の配信条件判定部１０ｇにおいて、アクセスの検出された携帯通信端末２０の状態が、配信条件データベース１０ｈに登録された配信条件を満足しているか否かを判定することができる。
【００８４】
更に、情報配信サーバ１０の情報配信部１０ｉにおいて、配信条件を満足する携帯通信端末２０の利用者の属性情報に基づき、この属性情報と、アクセスしたＷｅｂページのＵＲＬ情報と、在圏するエリアの情報とに対応する配信情報を、携帯通信端末２０に配信することができる。
以上より、携帯通信端末２０が配信情報の配信対象のエリア内に在圏し、且つ登録されたＷｅｂページ情報のＵＲＬにアクセスし、更に登録された配信条件を満足しているときに、携帯通信端末２０の利用者の属性情報と、アクセスしたＷｅｂページと、在圏しているエリアとに関連した配信情報を、配信対象の携帯通信端末２０に配信することができる。従って、利用者が要求している可能性の比較的高いタイミングで、その要求との関連性が比較的高い配信情報を配信することができる。
【００８５】
また、携帯通信端末２０の受領応答送信部２０ｅは、情報配信サーバ１０から配信情報を受信すると、その受領応答を情報配信サーバ１０に送信することができる。
また、情報配信サーバ１０の情報配信部１０ｉにおいて、携帯通信端末２０からの受領応答を受信すると、その受領応答に対応する配信情報を受領応答の送信元の携帯通信端末２０に対して配信済みであることを示す配信済情報を記録することができる。
これにより、配信情報を配信する前に配信済情報を参照して、既に配信済みの携帯通信端末２０に配信済みの情報を配信しないようにする（例えば、異なる日の場合は配信する）ことで、同じ配信情報を同じ携帯通信端末２０に何度も繰り返し配信することを防ぐことができる。
【００８６】
上記実施の形態において、情報配信サーバ１０は、発明１乃至５のいずれか１に記載の情報配信装置に対応し、位置情報取得部１０ｂ、エリア判定部１０ｃ、エリア情報データベース１０ｄ、アクセス監視部１０ｅ及びＷｅｂページ情報データベース１０ｆは、発明１に記載のアクセス監視手段に対応し、位置情報取得部１０ｂは、発明２又は５に記載の位置情報取得手段に対応し、エリア判定部１０ｃは、発明２又は５に記載の位置判定手段に対応し、エリア情報データベース１０ｄは、発明２又は５に記載のエリア情報記憶手段に対応し、アクセス監視部１０ｅは、発明２又は５に記載のアクセス監視手段に対応し、Ｗｅｂページ情報データベース１０ｆは、発明２又は５に記載のＵＲＬ情報記憶手段に対応し、情報配信部１０ｉは、発明１、２、３及び５のいずれか１に記載の情報配信手段に対応し、配信情報データベース１０ｊは、発明２又は５に記載の配信情報記憶手段に対応し、情報配信部１０ｉの属性情報データベース１０ｋからの属性情報の取得処理は、発明３に記載の属性情報取得手段に対応し、情報配信部１０ｉにおける受領応答の受信処理は、発明４に記載の受領情報取得手段に対応する。
【００８７】
また、上記実施の形態において、Ｗｅｂアクセス部２０ｂは、発明５に記載のＷｅｂアクセス手段に対応し、情報表示部２０ｄは、発明５に記載の配信情報表示手段に対応する。
なお、上記実施の形態においては、図１に示すように、１台の情報配信サーバ１０が、複数の基地局３０_１〜３０_ｍに対応する複数のエリアを管理する構成としたが、この構成に限らず、複数台の情報配信サーバ１０が、基地局３０_１〜３０_ｍのうち所定数ずつを管理する構成としてもよい。
【００８８】
また、上記実施の形態においては、ＧＰＳ衛星からの信号に基づき、携帯通信端末２０の緯度・経度を算出後に、ノードＩＤに変換する構成としたが、これに限らず、緯度・経度のままで取り扱うようにしてもよい。この場合は、エリア情報が、緯度・経度で表現される。
また、上記実施の形態においては、情報配信サーバ１０が、位置情報の取得要求を一定周期で管理エリア内の携帯通信端末２０に送信して、位置情報を取得する構成としたが、この構成に限らず、情報配信サービスに登録している利用者の携帯通信端末２０がサービスの提供されるエリア内に入ったら、自動で位置情報を取得して、情報配信サーバ１０に送信する構成など、他の構成としてもよい。
また、上記実施の形態においては、エリア判定処理、アクセス監視処理、配信条件判定処理の順で各判定処理を行う構成としたが、この構成に限らず、別の順番で行う構成としてもよい。
【図面の簡単な説明】
【００８９】
【図１】本発明に係る情報配信システム１の概略構成を示すブロック図である。
【図２】情報配信サーバ１０の詳細な構成を示すブロック図である。
【図３】携帯通信端末２０の詳細な構成を示すブロック図である。
【図４】端末位置情報取得処理を示すフローチャートである。
【図５】情報配信サーバ１０におけるアクセス監視処理を示すフローチャートである。
【図６】情報配信サーバ１０の配信情報の配信処理を示すフローチャートである。
【図７】携帯通信端末２０の配信情報の受信処理を示すフローチャートである。
【図８】エリア情報に対応する地図上のエリアの一例を示す図である。
【図９】エリア情報の一例を示す図である。
【図１０】Ｗｅｂページ情報の一例を示す図である。
【図１１】配信条件情報の一例を示す図である。
【図１２】配信情報の一例を示す図である。
【図１３】（ａ）及び（ｂ）は、属性情報の一例を示す図である。
【符号の説明】
【００９０】
１…情報配信システム、１０…情報配信サーバ、２０_１〜２０_ｎ…携帯通信端末、３０_１〜３０_ｍ…基地局、４０…ネットワーク、１０ａ，２０ａ…データ送受信部、１０ｂ…位置情報取得部、１０ｃ…エリア判定部、１０ｄ…エリア情報データベース、１０ｅ…アクセス監視部、１０ｆ…Ｗｅｂページ情報データベース、１０ｇ…配信条件判定部、１０ｈ…配信条件データベース、１０ｉ…情報配信部、１０ｊ…配信情報データベース、１０ｋ…属性情報データベース、２０ｂ…Ｗｅｂページアクセス部、２０ｃ…測位処理部、２０ｄ…情報表示部、２０ｅ…受領応答送信部
【図１】
2009301096.tif 000003
【図２】
2009301096.tif 000004
【図３】
2009301096.tif 000005
【図４】
2009301096.tif 000006
【図５】
2009301096.tif 000007
【図６】
2009301096.tif 000008
【図７】
2009301096.tif 000009
【図８】
2009301096.tif 000010
【図９】
2009301096.tif 000011
【図１０】
2009301096.tif 000012
【図１１】
2009301096.tif 000013
【図１２】
2009301096.tif 000014
【図１３】
2009301096.tif 000015